(57)【要約】【課題】本発明はセキュリティワイヤーケーブル用のシールド層の巻き設備を開示した。【解決手段】ボディー及び前記ボディーの中に設置された操作チャンバを含み、前記操作チャンバの左側端壁の中には環状溝が形成されており、前記環状溝の中には外歯車が設置され、本発明はセキュリティワイヤーケーブル用のシールド層の巻き設備を提供し、自動でケーブルにシールド層を巻くことを実現でき、またシールド層を巻く過程にケーブルの外側に接着剤を塗ってシールド層にしっかり巻き付かせ、同時に設備はシールドケーブルを自動で巻くことができ、自動化程度が高く、機能性が強く、安定性がよく、生産と普及と使用に便利を与える。【選択図】図１
2020205229.tif 000002
【特許請求の範囲】
【請求項１】
正面視で、ボディー及び前記ボディーの中に設置された操作チャンバを含み、前記操作チャンバの左側端壁の中には環状溝が形成されており、前記環状溝の中には外歯車が設置され、前記外歯車の回転はシールド層を回転連動させてケーブルの外表面に巻き付かせ、前記操作チャンバの底壁の中には接着剤を付けることができるディスペンサ装置が設置され、前記スプレーイングが接着剤を前記ケーブルの外表面に塗り、
前記ボディーの左側端壁の中には巻きチャンバが設置され、前記巻チャンバの中には第一回転軸が回転できるように設置され、前記第一回転軸の外表面には取り外し可能な巻き筒が設置され、前記巻きチャンバ及び前記巻きチャンバの端壁の中には巻き装置が設置され、前記巻き装置は前記巻きチャンバの右側端壁の中に設置されたスライドチャンバを含み、前記スライドチャンバの中にはスライドブロックが前後方向にスライドできるように設置され、前記スライドブロックが前記巻き筒の回転と共に前後方向に移動し、それによってケーブルを前後方向に移動連動させ、シールド層に均等的に巻き付かせ、
前記巻きチャンバの上下端壁の中にはケーブルをきつく挟む挟持機構が設置され、前記挟持機構は前記巻きチャンバの上下端壁の中に対向に開口するように設置された第一スライドガイド溝を含み、前記第一スライドガイド溝の中には第一ラックがスライドできるように設置され、前記第一ラックが前記巻き筒の外表面に巻き付くケーブルが増えることに伴って対向に移動してケーブルを挟み、同時に前記挟持機構は前記第一ラックの中に設置されたケーブルを切断できる切断装置の動作を触発させ、それによって切断装置がケーブルを切断することを触発させることを特徴とするセキュリティワイヤーケーブル用のシールド層の巻き設備。
【請求項２】
前記外歯車の中には抜き孔が設置され、前記抜き孔の頂壁の中には上下方向に貫通した貫通溝が形成されており、前記貫通溝の中にはシールド層を巻くことができる巻き軸が回転できるように設置され、前記環状溝の中には前記外歯車と噛み合っている第一ギヤが回転できるように設置され、前記第一ギヤが前記環状溝の左側端壁の中に回転できるように設置されたウォームの末端に固定的に設置され、前記操作チャンバと前記スライドチャンバとの間には回転チャンバが設置され、前記回転チャンバの底壁の中には前記環状溝の左側に位置しているウォームホイールチャンバが設置され、前記ウォームホイールチャンバと前記回転チャンバとの間には前後対称の第二回転軸が回転できるように設置され、前記ウォームホイールチャンバの中の前記第二回転軸の末端には前記ウォームと噛み合っているウォームホイールが固定的に設置され、前記回転チャンバの中の前記第二回転軸の末端には刷毛が付く円盤が固定的に設置されていることを特徴とする請求項１に記載のセキュリティワイヤーケーブル用のシールド層の巻き設備。
【請求項３】
前記ディスペンサ装置は前記操作チャンバの底壁に固定的に設置された液貯蔵桶を含み、前記操作チャンバの前後端壁の間には前記液貯蔵桶の上方に位置している第一定滑車が左右対称的に回転できるように設置され、前記液貯蔵桶の内部の前後端壁の間には第二定滑車が回転できるように設置され、前記操作チャンバの右側端壁の中には原料チャンバが設置され、前記原料チャンバの左側端壁の中には前記操作チャンバに連通している連通孔が設置され、前記原料チャンバの中には原料軸が回転できるように設置され、前記ケーブルが前記原料軸の外表面に巻き付くように設置され、また前記ケーブルの左側端壁が前記連通孔を貫通しており、且つ前記第一定滑車及び第二定滑車に巻き付いていることを特徴とする請求項１に記載のセキュリティワイヤーケーブル用のシールド層の巻き設備。
【請求項４】
前記巻き装置は前記スライドブロックの中に設置された左右方向に貫通したローラーチャンバを含み、前記ローラーチャンバの中には回転できるローラーが前後対称的に設置され、前記スライドチャンバの底壁の中にはスライド移動溝が形成されており、前記スライド移動溝の中には前記スライドブロックと固定的に連結された移動ブロックがスライドできるように設置され、前記移動ブロックの中には左右方向に貫通した噛み合いチャンバが設置され、前記噛み合いチャンバの上下端壁の中には第二ラックが設置され、前記ウォームの左側が前記噛み合いチャンバを貫通しており、また前記ウォームの左側末端が前記スライド移動溝の左側端壁の中に固定的に設置された駆動モーターと動力が伝達できるように連結され、前記噛み合いチャンバの中の前記ウォームの外表面には前記第二ラックと噛み合っている扇状ギヤが固定的に設置されていることを特徴とする請求項１に記載のセキュリティワイヤーケーブル用のシールド層の巻き設備。
【請求項５】
前記スライド移動溝の右側端壁の中には伝動チャンバが設置され、前記伝動チャンバの中の前記ウォームの外表面には第一ベベルギヤが固定的に設置され、前記伝動チャンバの後側端壁の中にはベルトチャンバが設置され、前記ベルトチャンバと前記伝動チャンバとの間には第三回転軸が回転できるように設置され、前記伝動チャンバの中の前記第三回転軸の末端には前記第一ベベルギヤと噛み合っている第二ベベルギヤが固定的に設置され、前記ベルトチャンバの中の前記第三回転軸の末端には第一プーリが固定的に設置され、前記第一回転軸の後側末端が前記ベルトチャンバの中に伸びており、また前記第一回転軸の後側末端には第二プーリが固定的に設置され、前記第一プーリと前記第二プーリとが前記ベルトによって伝動できるように連結されていることを特徴とする請求項１に記載のセキュリティワイヤーケーブル用のシールド層の巻き設備。
【請求項６】
前記挟持機構は前記巻きチャンバの上下端壁の中に対称的に形成された第二スライドガイド溝を含み、前記第二スライドガイド溝の中には第三ラックがスライドできるように設置され、前記第三ラックと前記第二スライドガイド溝の端壁との間には第一復帰装置が弾性を持つように設置され、前記第三ラックの左側端壁の中には第一凹溝が形成されており、前記巻きチャンバの端壁の中にはＣ型チャンバが設置され、前記Ｃ型チャンバの中にはＣ型ブロックがスライドできるように設置され、前記Ｃ型ブロックと前記Ｃ型チャンバの左側端壁の間には第一ばねが弾性を持つように設置され、前記Ｃ型チャンバの左側端壁の中には前記Ｃ型ブロックと協働された電磁石が設置され、前記第二スライドガイド溝と前記第一スライドガイド溝との間にはギヤチャンバが設置され、前記ギヤチャンバの中には前記第一ラック及び前記第三ラックと噛み合っている第二ギヤが回転できるように設置されていることを特徴とする請求項１に記載のセキュリティワイヤーケーブル用のシールド層の巻き設備。
【請求項７】
前記第三ラックのうち前記巻きチャンバに近接している片側端壁の中には第一スライド孔が設置され、前記第一スライド孔の中には第一スライドロッドがスライドできるように設置され、前記第一スライドロッドと前記第一スライド孔の端壁との間には第二復帰装置が弾性を持つように設置され、前記第一スライド孔の左側には第三スライドガイド溝が形成されており、前記第三スライドガイド溝の中には第四ラックがスライドできるように設置され、前記第四ラックの右側端壁の中には第二凹溝が形成されており、前記第三スライドガイド溝の右側端壁の中には前記第一スライド孔を貫通した第二スライド孔が設置され、前記第二スライド孔の中には第二スライドロッドがスライドできるように設置され、前記第二スライドロッドと前記第二スライド孔の右側端壁との間には第二ばねが弾性を持つように設置され、前記第二スライドロッドの中には楔形孔が設置され、前記第三ラックのうち前記巻きチャンバから離れている片側端壁の中には第四スライドガイド溝が形成されており、前記第四スライドガイド溝の中には第五ラックがスライドできるように設置され、前記第五ラックと前記第四スライドガイド溝の端壁との間には第三復帰装置が弾性を持つように設置され、前記第四スライドガイド溝と前記第三スライドガイド溝との間には空きチャンバが設置され、前記空きチャンバの中には前記第四ラック及び前記第五ラックと噛み合っている第三ギヤが回転できるように設置されていることを特徴とする請求項１に記載のセキュリティワイヤーケーブル用のシールド層の巻き設備。
【請求項８】
前記第四ラックの頂部は切断カッターのヘッドであり、ケーブルを切断できることを特徴とする請求項１に記載のセキュリティワイヤーケーブル用のシールド層の巻き設備。
【発明の詳細な説明】
【技術分野】
【０００１】
本発明はケーブル加工分野に関わり、具体的にはセキュリティワイヤーケーブル用のシールド層の巻き設備である。
【背景技術】
【０００２】
シールドケーブルは外部からの電磁場によって電源または通信線路への影響を低減するために専門に用いられる金属製の組物で作られた外殻がある導線であり、シールドケーブルの外側にシールド層を巻くことは様々な問題があり、伝統的なシールド層を巻く方法で、効率が低く、シールド層を巻く伝統的な設備の自動化レベルが高くなく、シールドケーブルを生産する進度への要求を満たすことができなく、また伝統的なシールド層がしっかりシールドケーブルに巻き付くことではなく、解けやすく、それによって遮蔽効果が良くなくなり、伝統的な設備は加工されたケーブルを均等的に巻くことができなく、実用性が悪く、限局性が大きく、従ってセキュリティワイヤーケーブル用のシールド層の巻き設備をデザインして上記の問題を解決する必要がある。
【先行技術文献】
【特許文献】
【０００３】
【特許文献１】中国特許出願公開第１０１８５３７１８号明細書
【発明の概要】
【発明が解決しようとする課題】
【０００４】
本発明はセキュリティワイヤーケーブル用のシールド層の巻き設備を提供し、既存技術にある上記の欠点を解消することを目的とする。
【課題を解決するための手段】
【０００５】
本発明が技術問題を解決するために用いる技術プランは：本発明のセキュリティワイヤーケーブル用のシールド層の巻き設備は、ボディー及び前記ボディーの中に設置された操作チャンバを含み、前記操作チャンバの左側端壁の中には環状溝が形成されており、前記環状溝の中には外歯車が設置され、前記外歯車の回転はシールド層を回転連動させてケーブルの外表面に巻き付かせ、前記操作チャンバの底壁の中には接着剤を付けることができるディスペンサ装置が設置され、前記スプレーイングが接着剤を前記ケーブルの外表面に塗る。
【０００６】
前記ボディーの左側端壁の中には巻きチャンバが設置され、前記巻チャンバの中には第一回転軸が回転できるように設置され、前記第一回転軸の外表面には取り外し可能な巻き筒が設置され、前記巻きチャンバ及び前記巻きチャンバの端壁の中には巻き装置が設置され、前記巻き装置は前記巻きチャンバの右側端壁の中に設置されたスライドチャンバを含み、前記スライドチャンバの中にはスライドブロックが前後方向にスライドできるように設置され、前記スライドブロックが前記巻き筒の回転と共に前後方向に移動し、それによってケーブルを前後方向に移動連動させ、シールド層に均等的に巻き付かせる。
【０００７】
前記巻きチャンバの上下端壁の中にはケーブルをきつく挟む挟持機構が設置され、前記挟持機構は前記巻きチャンバの上下端壁の中に対向に開口するように設置された第一スライドガイド溝を含み、前記第一スライドガイド溝の中には第一ラックがスライドできるように設置され、前記第一ラックが前記巻き筒の外表面に巻き付くケーブルが増えることに伴って対向に移動してケーブルを挟み、同時に前記挟持機構は前記第一ラックの中に設置されたケーブルを切断できる切断装置の動作を触発させ、それによって切断装置がケーブルを切断することを触発させる。
【０００８】
更に、前記外歯車の中には抜き孔が設置され、前記抜き孔の頂壁の中には上下方向に貫通した貫通溝が形成されており、前記貫通溝の中にはシールド層を巻くことができる巻き軸が回転できるように設置され、前記環状溝の中には前記外歯車と噛み合っている第一ギヤが回転できるように設置され、前記第一ギヤが前記環状溝の左側端壁の中に回転できるように設置されたウォームの末端に固定的に設置され、前記操作チャンバと前記スライドチャンバとの間には回転チャンバが設置され、前記回転チャンバの底壁の中には前記環状溝の左側に位置しているウォームホイールチャンバが設置され、前記ウォームホイールチャンバと前記回転チャンバとの間には前後対称の第二回転軸が回転できるように設置され、前記ウォームホイールチャンバの中の前記第二回転軸の末端には前記ウォームと噛み合っているウォームホイールが固定的に設置され、前記回転チャンバの中の前記第二回転軸の末端には刷毛が付く円盤が固定的に設置されている。
【０００９】
更に、前記ディスペンサ装置は前記操作チャンバの底壁に固定的に設置された液貯蔵桶を含み、前記操作チャンバの前後端壁の間には前記液貯蔵桶の上方に位置している第一定滑車が左右対称的に回転できるように設置され、前記液貯蔵桶の内部の前後端壁の間には第二定滑車が回転できるように設置され、前記操作チャンバの右側端壁の中には原料チャンバが設置され、前記原料チャンバの左側端壁の中には前記操作チャンバに連通している連通孔が設置され、前記原料チャンバの中には原料軸が回転できるように設置され、前記ケーブルが前記原料軸の外表面に巻き付くように設置され、また前記ケーブルの左側端壁が前記連通孔を貫通しており、且つ前記第一定滑車及び第二定滑車に巻き付いている。
【００１０】
更に、前記巻き装置は前記スライドブロックの中に設置された左右方向に貫通したローラーチャンバを含み、前記ローラーチャンバの中には回転できるローラーが前後対称的に設置され、前記スライドチャンバの底壁の中にはスライド移動溝が形成されており、前記スライド移動溝の中には前記スライドブロックと固定的に連結された移動ブロックがスライドできるように設置され、前記移動ブロックの中には左右方向に貫通した噛み合いチャンバが設置され、前記噛み合いチャンバの上下端壁の中には第二ラックが設置され、前記ウォームの左側が前記噛み合いチャンバを貫通しており、また前記ウォームの左側末端が前記スライド移動溝の左側端壁の中に固定的に設置された駆動モーターと動力が伝達できるように連結され、前記噛み合いチャンバの中の前記ウォームの外表面には前記第二ラックと噛み合っている扇状ギヤが固定的に設置されている。
【００１１】
更に、前記スライド移動溝の右側端壁の中には伝動チャンバが設置され、前記伝動チャンバの中の前記ウォームの外表面には第一ベベルギヤが固定的に設置され、前記伝動チャンバの後側端壁の中にはベルトチャンバが設置され、前記ベルトチャンバと前記伝動チャンバとの間には第三回転軸が回転できるように設置され、前記伝動チャンバの中の前記第三回転軸の末端には前記第一ベベルギヤと噛み合っている第二ベベルギヤが固定的に設置され、前記ベルトチャンバの中の前記第三回転軸の末端には第一プーリが固定的に設置され、前記第一回転軸の後側末端が前記ベルトチャンバの中に伸びており、また前記第一回転軸の後側末端には第二プーリが固定的に設置され、前記第一プーリと前記第二プーリとが前記ベルトによって伝動できるように連結されている。
【００１２】
更に前記挟持機構は前記巻きチャンバの上下端壁の中に対称的に形成された第二スライドガイド溝を含み、前記第二スライドガイド溝の中には第三ラックがスライドできるように設置され、前記第三ラックと前記第二スライドガイド溝の端壁との間には第一復帰装置が弾性を持つように設置され、前記第三ラックの左側端壁の中には第一凹溝が形成されており、前記巻きチャンバの端壁の中にはＣ型チャンバが設置され、前記Ｃ型チャンバの中にはＣ型ブロックがスライドできるように設置され、前記Ｃ型ブロックと前記Ｃ型チャンバの左側端壁の間には第一ばねが弾性を持つように設置され、前記Ｃ型チャンバの左側端壁の中には前記Ｃ型ブロックと協働された電磁石が設置され、前記第二スライドガイド溝と前記第一スライドガイド溝との間にはギヤチャンバが設置され、前記ギヤチャンバの中には前記第一ラック及び前記第三ラックと噛み合っている第二ギヤが回転できるように設置されている。
【００１３】
更に、前記第三ラックのうち前記巻きチャンバに近接している片側端壁の中には第一スライド孔が設置され、前記第一スライド孔の中には第一スライドロッドがスライドできるように設置され、前記第一スライドロッドと前記第一スライド孔の端壁との間には第二復帰装置が弾性を持つように設置され、前記第一スライド孔の左側には第三スライドガイド溝が形成されており、前記第三スライドガイド溝の中には第四ラックがスライドできるように設置され、前記第四ラックの右側端壁の中には第二凹溝が形成されており、前記第三スライドガイド溝の右側端壁の中には前記第一スライド孔を貫通した第二スライド孔が設置され、前記第二スライド孔の中には第二スライドロッドがスライドできるように設置され、前記第二スライドロッドと前記第二スライド孔の右側端壁との間には第二ばねが弾性を持つように設置され、前記第二スライドロッドの中には楔形孔が設置され、前記第三ラックのうち前記巻きチャンバから離れている片側端壁の中には第四スライドガイド溝が形成されており、前記第四スライドガイド溝の中には第五ラックがスライドできるように設置され、前記第五ラックと前記第四スライドガイド溝の端壁との間には第三復帰装置が弾性を持つように設置され、前記第四スライドガイド溝と前記第三スライドガイド溝との間には空きチャンバが設置され、前記空きチャンバの中には前記第四ラック及び前記第五ラックと噛み合っている第三ギヤが回転できるように設置されている。
【００１４】
更に、前記第四ラックの頂部は切断カッターのヘッドであり、ケーブルを切断できる。
【発明の効果】
【００１５】
本発明の有益な効果は：本発明はセキュリティワイヤーケーブル用のシールド層の巻き設備を提供し、自動でケーブルにシールド層を巻くことを実現でき、またシールド層を巻く過程にケーブルの外側に接着剤を塗ってシールド層にしっかり巻き付かせ、同時に設備はシールドケーブルを自動で巻くことができ、自動化程度が高く、機能性が強く、安定性がよく、生産と普及と使用に便利を与える。
【図面の簡単な説明】
【００１６】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本発明のセキュリティワイヤーケーブル用のシールド層の巻き設備の全体構成概略図
【図２】図２は図１の中のＡ―Ａの構成概略図
【図３】図３は図１の中のＢの拡大構成概略図
【図４】図４は図２の中のＣ―Ｃの構成概略図
【図５】図５は図１の中のＤ―Ｄの構成概略図
【発明を実施するための形態】
【００１８】
付図１〜５に記載のシールド層の巻き設備は、ボディー１０及び前記ボディー１０の中に設置された操作チャンバ４４を含み、前記操作チャンバ４４の左側端壁の中には環状溝４２が形成されており、前記環状溝４２の中には外歯車７８が設置され、前記外歯車７８の回転はシールド層４３を回転連動させてケーブル１４の外表面に巻き付かせ、前記操作チャンバ４４の底壁の中には接着剤を付けることができるディスペンサ装置２００が設置され、前記スプレーイング２００が接着剤を前記ケーブル１４の外表面に塗る。
【００１９】
前記ボディー１０の左側端壁の中には巻きチャンバ３２が設置され、前記巻チャンバ３２の中には第一回転軸３３が回転できるように設置され、前記第一回転軸３３の外表面には取り外し可能な巻き筒３４が設置され、前記巻きチャンバ３２及び前記巻きチャンバ３２の端壁の中には巻き装置３００が設置され、前記巻き装置３００は前記巻きチャンバ３２の右側端壁の中に設置されたスライドチャンバ５４を含み、前記スライドチャンバ５４の中にはスライドブロック４６が前後方向にスライドできるように設置され、前記スライドブロック４６が前記巻き筒３４の回転と共に前後方向に移動し、それによってケーブル１４を前後方向に移動連動させ、シールド層に均等的に巻き付かせる。
【００２０】
前記巻きチャンバ３２の上下端壁の中にはケーブル１４をきつく挟む挟持機構４００が設置され、前記挟持機構４００は前記巻きチャンバ３２の上下端壁の中に対向に開口するように設置された第一スライドガイド溝２７を含み、前記第一スライドガイド溝２７の中には第一ラック２６がスライドできるように設置され、前記第一ラック２６が前記巻き筒３４の外表面に巻き付くケーブル１４が増えることに伴って対向に移動してケーブル１４を挟み、同時に前記挟持機構４００は前記第一ラック２６の中に設置されたケーブル１４を切断できる切断装置４００の動作を触発させ、それによって切断装置４００がケーブル１４を切断することを触発させる。
【００２１】
好ましくは、前記外歯車７８の中には抜き孔７９が設置され、前記抜き孔７９の頂壁の中には上下方向に貫通した貫通溝７６が形成されており、前記貫通溝７６の中にはシールド層４３を巻くことができる巻き軸７７が回転できるように設置され、前記環状溝４２の中には前記外歯車７８と噛み合っている第一ギヤ１７が回転できるように設置され、前記第一ギヤ１７が前記環状溝４２の左側端壁の中に回転できるように設置されたウォーム１８の末端に固定的に設置され、前記操作チャンバ４４と前記スライドチャンバ５４との間には回転チャンバ４０が設置され、前記回転チャンバ４０の底壁の中には前記環状溝４２の左側に位置しているウォームホイールチャンバ２１が設置され、前記ウォームホイールチャンバ２１と前記回転チャンバ４０との間には前後対称の第二回転軸１９が回転できるように設置され、前記ウォームホイールチャンバ２１の中の前記第二回転軸１９の末端には前記ウォーム１８と噛み合っているウォームホイール２０が固定的に設置され、前記回転チャンバ４０の中の前記第二回転軸１９の末端には刷毛が付く円盤４１が固定的に設置されている。
【００２２】
好ましくは、前記ディスペンサ装置２００は前記操作チャンバ４４の底壁に固定的に設置された液貯蔵桶４５を含み、前記操作チャンバ４４の前後端壁の間には前記液貯蔵桶４５の上方に位置している第一定滑車１５が左右対称的に回転できるように設置され、前記液貯蔵桶４５の内部の前後端壁の間には第二定滑車１６が回転できるように設置され、前記操作チャンバ４４の右側端壁の中には原料チャンバ１１が設置され、前記原料チャンバ１１の左側端壁の中には前記操作チャンバ４４に連通している連通孔１２が設置され、前記原料チャンバ１１の中には原料軸１３が回転できるように設置され、前記ケーブル１４が前記原料軸１３の外表面に巻き付くように設置され、また前記ケーブル１４の左側端壁が前記連通孔１２を貫通しており、且つ前記第一定滑車１５及び第二定滑車１６に巻き付いている。
【００２３】
好ましくは、前記巻き装置３００は前記スライドブロック４６の中に設置された左右方向に貫通したローラーチャンバ４７を含み、前記ローラーチャンバ４７の中には回転できるローラー４８が前後対称的に設置され、前記スライドチャンバ５４の底壁の中にはスライド移動溝４９が形成されており、前記スライド移動溝４９の中には前記スライドブロック４６と固定的に連結された移動ブロック５０がスライドできるように設置され、前記移動ブロック５０の中には左右方向に貫通した噛み合いチャンバ５１が設置され、前記噛み合いチャンバ５１の上下端壁の中には第二ラック５３が設置され、前記ウォーム１８の左側が前記噛み合いチャンバ５１を貫通しており、また前記ウォーム１８の左側末端が前記スライド移動溝４９の左側端壁の中に固定的に設置された駆動モーター２５と動力が伝達できるように連結され、前記噛み合いチャンバ５１の中の前記ウォーム１８の外表面には前記第二ラック５３と噛み合っている扇状ギヤ５２が固定的に設置されている。
【００２４】
好ましくは、前記スライド移動溝４９の右側端壁の中には伝動チャンバ２２が設置され、前記伝動チャンバ２２の中の前記ウォーム１８の外表面には第一ベベルギヤ２４が固定的に設置され、前記伝動チャンバ２２の後側端壁の中にはベルトチャンバ７３が設置され、前記ベルトチャンバ７３と前記伝動チャンバ２２との間には第三回転軸７５が回転できるように設置され、前記伝動チャンバ２２の中の前記第三回転軸７５の末端には前記第一ベベルギヤ２４と噛み合っている第二ベベルギヤ２３が固定的に設置され、前記ベルトチャンバ７３の中の前記第三回転軸７５の末端には第一プーリ７４が固定的に設置され、前記第一回転軸３３の後側末端が前記ベルトチャンバ７３の中に伸びており、また前記第一回転軸３３の後側末端には第二プーリ７１が固定的に設置され、前記第一プーリ７４と前記第二プーリ７１とが前記ベルト７２によって伝動できるように連結されている。
【００２５】
好ましくは、前記挟持機構４００は前記巻きチャンバ３２の上下端壁の中に対称的に形成された第二スライドガイド溝３５を含み、前記第二スライドガイド溝３５の中には第三ラック３７がスライドできるように設置され、前記第三ラック３７と前記第二スライドガイド溝３５の端壁との間には第一復帰装置５９が弾性を持つように設置され、前記第三ラック３７の左側端壁の中には第一凹溝３６が形成されており、前記巻きチャンバ３２の端壁の中にはＣ型チャンバ２９が設置され、前記Ｃ型チャンバ２９の中にはＣ型ブロック３１がスライドできるように設置され、前記Ｃ型ブロック３１と前記Ｃ型チャンバ２９の左側端壁の間には第一ばね２８が弾性を持つように設置され、前記Ｃ型チャンバ２９の左側端壁の中には前記Ｃ型ブロック３１と協働された電磁石３０が設置され、前記第二スライドガイド溝３５と前記第一スライドガイド溝２７との間にはギヤチャンバ３９が設置され、前記ギヤチャンバ３９の中には前記第一ラック２６及び前記第三ラック３７と噛み合っている第二ギヤ３８が回転できるように設置されている。
【００２６】
好ましくは、前記第三ラック３７のうち前記巻きチャンバ３２に近接している片側端壁の中には第一スライド孔６８が設置され、前記第一スライド孔６８の中には第一スライドロッド７０がスライドできるように設置され、前記第一スライドロッド７０と前記第一スライド孔６８の端壁との間には第二復帰装置６９が弾性を持つように設置され、前記第一スライド孔６８の左側には第三スライドガイド溝５６が形成されており、前記第三スライドガイド溝５６の中には第四ラック５５がスライドできるように設置され、前記第四ラック５５の右側端壁の中には第二凹溝６３が形成されており、前記第三スライドガイド溝５６の右側端壁の中には前記第一スライド孔６８を貫通した第二スライド孔６４が設置され、前記第二スライド孔６４の中には第二スライドロッド６６がスライドできるように設置され、前記第二スライドロッド６６と前記第二スライド孔６４の右側端壁との間には第二ばね６７が弾性を持つように設置され、前記第二スライドロッド６６の中には楔形孔６５が設置され、前記第三ラック３７のうち前記巻きチャンバ３２から離れている片側端壁の中には第四スライドガイド溝６１が形成されており、前記第四スライドガイド溝６１の中には第五ラック６２がスライドできるように設置され、前記第五ラック６２と前記第四スライドガイド溝６１の端壁との間には第三復帰装置６０が弾性を持つように設置され、前記第四スライドガイド溝６１と前記第三スライドガイド溝５６との間には空きチャンバ５８が設置され、前記空きチャンバ５８の中には前記第四ラック５５及び前記第五ラック６２と噛み合っている第三ギヤ５７が回転できるように設置されている。
【００２７】
好ましくは、前記第四ラック５５の頂部は切断カッターのヘッドであり、ケーブル１４を切断できる。
【００２８】
本実施例に記載の固定的に連結する方法はボルトによる固定や溶接する方法などに限定されない。
【００２９】
装置全体の機械動作の順序は：
【００３０】
１、シールド層に巻き付くケーブルを前記原料軸１３の外表面に巻き、前記ケーブル１４の一端を前記回転チャンバ４０と前後二つの前記ローラー４８との間に通し、また前記ケーブル１４の一端の末端を前記巻き筒３４の外表面に固定し、同時に前記巻き軸７７の外表面に巻き付いているシールド層４３をケーブル１４に固定し、この時に前記駆動モーター２５を始動し、前記駆動モーター２５が回転して前記ウォーム１８を回転連動させ、それによって前記第一ギヤ１７を回転連動させ、それによって前記外歯車７８を回転連動させ、この時に前記シールド層４３が前記ケーブル１４の外表面に巻き付くように設置されている。
【００３１】
２、同時に前記駆動モーター２５が回転して前記第一ベベルギヤ２４を回転連動させ、それによって前記第二ベベルギヤ２３を回転連動させ、それによって前記第一プーリ７４と前記第二プーリ７１とを回転連動させ、前記第二プーリ７１が回転して前記巻き筒３４を連動させて前記ケーブル１４に巻き付かせ、この時に前記ケーブル１４が左方へ移動し、前記ケーブル１４が前記液貯蔵桶４５の接着剤の中に浸かり、前記ケーブル１４とシールド層４３とがしっかり接着し、それによってケーブル１４にシールド層４３を巻くことを実現する。
【００３２】
３、同時に前記ウォーム１８が回転して前記扇状ギヤ５２を回転連動させ、それによって上下二つの前記第二ラック５３と間欠的に噛み合わせ、それによって前記移動ブロック５０を前後方向に移動連動させ、同時に前記移動ブロック５０が前記スライドブロック４６を前後方向に移動連動させ、それによって前記ケーブル１４の左側を前後方向に移動連動させ、それによって前記ケーブル１４が前記巻き筒３４に均等的に巻き付くことを実現する。
【００３３】
４、前記巻き筒３４の外表面に巻き付いている１４が増えることに伴い、前記巻き筒３４の外部に巻き付き直径が大きくなり、それによって前記第三ラック３７を上下両側へ移動連動させ、それによって前記第一ラック２６を対向に移動連動させ、上下二つの前記第一スライドロッド７０が互いに当接した時に前記ケーブル１４をしっかり挟み、前記第一スライドロッド７０が前記第一スライド孔６８の中へ摺動し、前記第一スライドロッド７０と前記第二スライドロッド６６の中の楔形孔６５と当接した時、前記第二スライドロッド６６が前記第二凹溝６３を出、この時に前記第四ラック５５が前記第三復帰装置６０の作用の下で対向に移動して前記ケーブル１４を切断し、同時に前記Ｃ型ブロック３１の末端が前記第一凹溝３６が中に伸び、前記ケーブル１４が挟持状態を保持し、この時に前記駆動モーター２５を止め、前記巻き筒３４を取り出し、シールド層を巻くことを完成する。
【００３４】
５、この時に改めて新しい前記巻き筒３４を装着し、また前記ケーブル１４を前記巻き筒３４の外表面に固定し、前記電磁石３０が通電して前記Ｃ型ブロック３１を吸引して左方へ移動させ、それによって前記Ｃ型ブロック３１に前記第一凹溝３６を出させ、設備は初期状態に戻り、ステップ一と、ステップ二と、ステップ三と、ステップ四の順で繰り返してシールド層を巻く。
【００３５】
上記の実施例は本発明の技術的構想と特徴を説明するだけであり、その目的は当業者に本発明内容を了解させてさらに実施させるのであり、本発明の保護範囲を制限することはできない。本発明の精神の実質に基づいて行われたすべての等価的な変化又は修飾は、本発明の保護範囲の中に含むべきである。
【図１】
2020205229.tif 000003
【図２】
2020205229.tif 000004
【図３】
2020205229.tif 000005
【図４】
2020205229.tif 000006
【図５】
2020205229.tif 000007
【手続補正書】
【提出日】令和2年4月15日(2020.4.15)
【手続補正１】
【補正対象書類名】特許請求の範囲
【補正対象項目名】全文
【補正方法】変更
【補正の内容】
【特許請求の範囲】
【請求項１】
正面視で、ボディー及び前記ボディーの中に設置された操作チャンバを含み、前記操作チャンバの左側端壁の中には環状溝が形成されており、前記環状溝の中には外歯車が設置され、前記外歯車の回転はシールド層を回転連動させてケーブルの外表面に巻き付かせ、前記操作チャンバの底壁の中には接着剤を付けることができるディスペンサ装置が設置され、前記ディスペンサ装置が接着剤を前記ケーブルの外表面に塗り、
前記ボディーの左側端壁の中には巻きチャンバが設置され、前記巻きチャンバの中には第一回転軸が回転できるように設置され、前記第一回転軸の外表面には取り外し可能な巻き筒が設置され、前記巻きチャンバ及び前記巻きチャンバの端壁の中には巻き装置が設置され、前記巻き装置は前記巻きチャンバの右側端壁の中に設置されたスライドチャンバを含み、前記スライドチャンバの中にはスライドブロックが前後方向にスライドできるように設置され、前記スライドブロックが前記巻き筒の回転と共に前後方向に移動し、それによってケーブルを前後方向に移動連動させ、シールド層に均等的に巻き付かせ、
前記巻きチャンバの上下端壁の中にはケーブルをきつく挟む挟持機構が設置され、前記挟持機構は前記巻きチャンバの上下端壁の中に対向に開口するように設置された第一スライドガイド溝を含み、前記第一スライドガイド溝の中には第一ラックがスライドできるように設置され、前記第一ラックが前記巻き筒の外表面に巻き付くケーブルが増えることに伴って対向に移動してケーブルを挟み、同時に前記挟持機構は前記第一ラックの中に設置されたケーブルを切断できる切断装置の動作を触発させ、それによって切断装置がケーブルを切断することを触発させることを特徴とするセキュリティワイヤーケーブル用のシールド層の巻き設備。
【請求項２】
前記外歯車の中には抜き孔が設置され、前記抜き孔の頂壁の中には上下方向に貫通した貫通溝が形成されており、前記貫通溝の中にはシールド層を巻くことができる巻き軸が回転できるように設置され、前記環状溝の中には前記外歯車と噛み合っている第一ギヤが回転できるように設置され、前記第一ギヤが前記環状溝の左側端壁の中に回転できるように設置されたウォームの末端に固定的に設置され、前記操作チャンバと前記スライドチャンバとの間には回転チャンバが設置され、前記回転チャンバの底壁の中には前記環状溝の左側に位置しているウォームホイールチャンバが設置され、前記ウォームホイールチャンバと前記回転チャンバとの間には前後対称の第二回転軸が回転できるように設置され、前記ウォームホイールチャンバの中の前記第二回転軸の末端には前記ウォームと噛み合っているウォームホイールが固定的に設置され、前記回転チャンバの中の前記第二回転軸の末端には刷毛が付く円盤が固定的に設置されていることを特徴とする請求項１に記載のセキュリティワイヤーケーブル用のシールド層の巻き設備。
【請求項３】
前記ディスペンサ装置は前記操作チャンバの底壁に固定的に設置された液貯蔵桶を含み、前記操作チャンバの前後端壁の間には前記液貯蔵桶の上方に位置している第一定滑車が左右対称的に回転できるように設置され、前記液貯蔵桶の内部の前後端壁の間には第二定滑車が回転できるように設置され、前記操作チャンバの右側端壁の中には原料チャンバが設置され、前記原料チャンバの左側端壁の中には前記操作チャンバに連通している連通孔が設置され、前記原料チャンバの中には原料軸が回転できるように設置され、前記ケーブルが前記原料軸の外表面に巻き付くように設置され、また前記ケーブルが左側端壁の前記連通孔を貫通しており、且つ前記第一定滑車及び第二定滑車に巻き付いていることを特徴とする請求項１に記載のセキュリティワイヤーケーブル用のシールド層の巻き設備。
【請求項４】
前記巻き装置は前記スライドブロックの中に設置された左右方向に貫通したローラーチャンバを含み、前記ローラーチャンバの中には回転できるローラーが前後対称的に設置され、前記スライドチャンバの底壁の中にはスライド移動溝が形成されており、前記スライド移動溝の中には前記スライドブロックと固定的に連結された移動ブロックがスライドできるように設置され、前記移動ブロックの中には左右方向に貫通した噛み合いチャンバが設置され、前記噛み合いチャンバの上下端壁の中には第二ラックが設置され、前記ウォームの左側が前記噛み合いチャンバを貫通しており、また前記ウォームの左側末端が前記スライド移動溝の左側端壁の中に固定的に設置された駆動モーターと動力が伝達できるように連結され、前記噛み合いチャンバの中の前記ウォームの外表面には前記第二ラックと噛み合っている扇状ギヤが固定的に設置されていることを特徴とする請求項２に記載のセキュリティワイヤーケーブル用のシールド層の巻き設備。
【請求項５】
前記スライド移動溝の右側端壁の中には伝動チャンバが設置され、前記伝動チャンバの中の前記ウォームの外表面には第一ベベルギヤが固定的に設置され、前記伝動チャンバの後側端壁の中にはベルトチャンバが設置され、前記ベルトチャンバと前記伝動チャンバとの間には第三回転軸が回転できるように設置され、前記伝動チャンバの中の前記第三回転軸の末端には前記第一ベベルギヤと噛み合っている第二ベベルギヤが固定的に設置され、前記ベルトチャンバの中の前記第三回転軸の末端には第一プーリが固定的に設置され、前記第一回転軸の後側末端が前記ベルトチャンバの中に伸びており、また前記第一回転軸の後側末端には第二プーリが固定的に設置され、前記第一プーリと前記第二プーリとがベルトによって伝動できるように連結されていることを特徴とする請求項４に記載のセキュリティワイヤーケーブル用のシールド層の巻き設備。
【請求項６】
前記挟持機構は前記巻きチャンバの上下端壁の中に対称的に形成された第二スライドガイド溝を含み、前記第二スライドガイド溝の中には第三ラックがスライドできるように設置され、前記第一ラックと前記第一スライドガイド溝の端壁との間には第一復帰装置が弾性を持つように設置され、前記第三ラックの左側端壁の中には第一凹溝が形成されており、前記巻きチャンバの端壁の中にはＣ型チャンバが設置され、前記Ｃ型チャンバの中にはＣ型ブロックがスライドできるように設置され、前記Ｃ型ブロックと前記Ｃ型チャンバの左側端壁の間には第一ばねが弾性を持つように設置され、前記Ｃ型チャンバの左側端壁の中には前記Ｃ型ブロックと協働された電磁石が設置され、前記第二スライドガイド溝と前記第一スライドガイド溝との間にはギヤチャンバが設置され、前記ギヤチャンバの中には前記第一ラック及び前記第三ラックと噛み合っている第二ギヤが回転できるように設置されていることを特徴とする請求項１に記載のセキュリティワイヤーケーブル用のシールド層の巻き設備。
【請求項７】
前記第一ラックのうち前記巻きチャンバに近接している片側端壁の中には第一スライド孔が設置され、前記第一スライド孔の中には第一スライドロッドがスライドできるように設置され、前記第一スライドロッドと前記第一スライド孔の端壁との間には第二復帰装置が弾性を持つように設置され、前記第一スライド孔の左側には第三スライドガイド溝が形成されており、前記第三スライドガイド溝の中には第四ラックがスライドできるように設置され、前記第四ラックの右側端壁の中には第二凹溝が形成されており、前記第三スライドガイド溝の右側端壁の中には前記第一スライド孔を貫通した第二スライド孔が設置され、前記第二スライド孔の中には第二スライドロッドがスライドできるように設置され、前記第二スライドロッドと前記第二スライド孔の右側端壁との間には第二ばねが弾性を持つように設置され、前記第二スライドロッドの中には楔形孔が設置され、前記第一ラックのうち前記巻きチャンバから離れている片側端壁の中には第四スライドガイド溝が形成されており、前記第四スライドガイド溝の中には第五ラックがスライドできるように設置され、前記第五ラックと前記第四スライドガイド溝の端壁との間には第三復帰装置が弾性を持つように設置され、前記第四スライドガイド溝と前記第三スライドガイド溝との間には空きチャンバが設置され、前記空きチャンバの中には前記第四ラック及び前記第五ラックと噛み合っている第三ギヤが回転できるように設置されていることを特徴とする請求項６に記載のセキュリティワイヤーケーブル用のシールド層の巻き設備。
【請求項８】
前記第四ラックの頂部は切断カッターのヘッドであり、ケーブルを切断できることを特徴とする請求項７に記載のセキュリティワイヤーケーブル用のシールド層の巻き設備。
【手続補正２】
【補正対象書類名】明細書
【補正対象項目名】全文
【補正方法】変更
【補正の内容】
【発明の詳細な説明】
【技術分野】
【０００１】
本発明はケーブル加工分野に関わり、具体的にはセキュリティワイヤーケーブル用のシールド層の巻き設備である。
【背景技術】
【０００２】
シールドケーブルは外部からの電磁場によって電源または通信線路への影響を低減するために専門に用いられる金属製の組物で作られた外殻がある導線であり、シールドケーブルの外側にシールド層を巻くことは様々な問題があり、伝統的なシールド層を巻く方法で、効率が低く、シールド層を巻く伝統的な設備の自動化レベルが高くなく、シールドケーブルを生産する進度への要求を満たすことができなく、また伝統的なシールド層がしっかりシールドケーブルに巻き付くことではなく、解けやすく、それによって遮蔽効果が良くなくなり、伝統的な設備は加工されたケーブルを均等的に巻くことができなく、実用性が悪く、限局性が大きく、従ってセキュリティワイヤーケーブル用のシールド層の巻き設備をデザインして上記の問題を解決する必要がある。
【先行技術文献】
【特許文献】
【０００３】
【特許文献１】中国特許出願公開第１０１８５３７１８号明細書
【発明の概要】
【発明が解決しようとする課題】
【０００４】
本発明はセキュリティワイヤーケーブル用のシールド層の巻き設備を提供し、既存技術にある上記の欠点を解消することを目的とする。
【課題を解決するための手段】
【０００５】
本発明が技術問題を解決するために用いる技術プランは：本発明のセキュリティワイヤーケーブル用のシールド層の巻き設備は、ボディー及び前記ボディーの中に設置された操作チャンバを含み、前記操作チャンバの左側端壁の中には環状溝が形成されており、前記環状溝の中には外歯車が設置され、前記外歯車の回転はシールド層を回転連動させてケーブルの外表面に巻き付かせ、前記操作チャンバの底壁の中には接着剤を付けることができるディスペンサ装置が設置され、前記ディスペンサ装置が接着剤を前記ケーブルの外表面に塗る。
【０００６】
前記ボディーの左側端壁の中には巻きチャンバが設置され、前記巻きチャンバの中には第一回転軸が回転できるように設置され、前記第一回転軸の外表面には取り外し可能な巻き筒が設置され、前記巻きチャンバ及び前記巻きチャンバの端壁の中には巻き装置が設置され、前記巻き装置は前記巻きチャンバの右側端壁の中に設置されたスライドチャンバを含み、前記スライドチャンバの中にはスライドブロックが前後方向にスライドできるように設置され、前記スライドブロックが前記巻き筒の回転と共に前後方向に移動し、それによってケーブルを前後方向に移動連動させ、シールド層に均等的に巻き付かせる。
【０００７】
前記巻きチャンバの上下端壁の中にはケーブルをきつく挟む挟持機構が設置され、前記挟持機構は前記巻きチャンバの上下端壁の中に対向に開口するように設置された第一スライドガイド溝を含み、前記第一スライドガイド溝の中には第一ラックがスライドできるように設置され、前記第一ラックが前記巻き筒の外表面に巻き付くケーブルが増えることに伴って対向に移動してケーブルを挟み、同時に前記挟持機構は前記第一ラックの中に設置されたケーブルを切断できる切断装置の動作を触発させ、それによって切断装置がケーブルを切断することを触発させる。
【０００８】
更に、前記外歯車の中には抜き孔が設置され、前記抜き孔の頂壁の中には上下方向に貫通した貫通溝が形成されており、前記貫通溝の中にはシールド層を巻くことができる巻き軸が回転できるように設置され、前記環状溝の中には前記外歯車と噛み合っている第一ギヤが回転できるように設置され、前記第一ギヤが前記環状溝の左側端壁の中に回転できるように設置されたウォームの末端に固定的に設置され、前記操作チャンバと前記スライドチャンバとの間には回転チャンバが設置され、前記回転チャンバの底壁の中には前記環状溝の左側に位置しているウォームホイールチャンバが設置され、前記ウォームホイールチャンバと前記回転チャンバとの間には前後対称の第二回転軸が回転できるように設置され、前記ウォームホイールチャンバの中の前記第二回転軸の末端には前記ウォームと噛み合っているウォームホイールが固定的に設置され、前記回転チャンバの中の前記第二回転軸の末端には刷毛が付く円盤が固定的に設置されている。
【０００９】
更に、前記ディスペンサ装置は前記操作チャンバの底壁に固定的に設置された液貯蔵桶を含み、前記操作チャンバの前後端壁の間には前記液貯蔵桶の上方に位置している第一定滑車が左右対称的に回転できるように設置され、前記液貯蔵桶の内部の前後端壁の間には第二定滑車が回転できるように設置され、前記操作チャンバの右側端壁の中には原料チャンバが設置され、前記原料チャンバの左側端壁の中には前記操作チャンバに連通している連通孔が設置され、前記原料チャンバの中には原料軸が回転できるように設置され、前記ケーブルが前記原料軸の外表面に巻き付くように設置され、また前記ケーブルが左側端壁の前記連通孔を貫通しており、且つ前記第一定滑車及び第二定滑車に巻き付いている。
【００１０】
更に、前記巻き装置は前記スライドブロックの中に設置された左右方向に貫通したローラーチャンバを含み、前記ローラーチャンバの中には回転できるローラーが前後対称的に設置され、前記スライドチャンバの底壁の中にはスライド移動溝が形成されており、前記スライド移動溝の中には前記スライドブロックと固定的に連結された移動ブロックがスライドできるように設置され、前記移動ブロックの中には左右方向に貫通した噛み合いチャンバが設置され、前記噛み合いチャンバの上下端壁の中には第二ラックが設置され、前記ウォームの左側が前記噛み合いチャンバを貫通しており、また前記ウォームの左側末端が前記スライド移動溝の左側端壁の中に固定的に設置された駆動モーターと動力が伝達できるように連結され、前記噛み合いチャンバの中の前記ウォームの外表面には前記第二ラックと噛み合っている扇状ギヤが固定的に設置されている。
【００１１】
更に、前記スライド移動溝の右側端壁の中には伝動チャンバが設置され、前記伝動チャンバの中の前記ウォームの外表面には第一ベベルギヤが固定的に設置され、前記伝動チャンバの後側端壁の中にはベルトチャンバが設置され、前記ベルトチャンバと前記伝動チャンバとの間には第三回転軸が回転できるように設置され、前記伝動チャンバの中の前記第三回転軸の末端には前記第一ベベルギヤと噛み合っている第二ベベルギヤが固定的に設置され、前記ベルトチャンバの中の前記第三回転軸の末端には第一プーリが固定的に設置され、前記第一回転軸の後側末端が前記ベルトチャンバの中に伸びており、また前記第一回転軸の後側末端には第二プーリが固定的に設置され、前記第一プーリと前記第二プーリとがベルトによって伝動できるように連結されている。
【００１２】
更に前記挟持機構は前記巻きチャンバの上下端壁の中に対称的に形成された第二スライドガイド溝を含み、前記第二スライドガイド溝の中には第三ラックがスライドできるように設置され、前記第一ラックと前記第一スライドガイド溝の端壁との間には第一復帰装置が弾性を持つように設置され、前記第三ラックの左側端壁の中には第一凹溝が形成されており、前記巻きチャンバの端壁の中にはＣ型チャンバが設置され、前記Ｃ型チャンバの中にはＣ型ブロックがスライドできるように設置され、前記Ｃ型ブロックと前記Ｃ型チャンバの左側端壁の間には第一ばねが弾性を持つように設置され、前記Ｃ型チャンバの左側端壁の中には前記Ｃ型ブロックと協働された電磁石が設置され、前記第二スライドガイド溝と前記第一スライドガイド溝との間にはギヤチャンバが設置され、前記ギヤチャンバの中には前記第一ラック及び前記第三ラックと噛み合っている第二ギヤが回転できるように設置されている。
【００１３】
更に、前記第一ラックのうち前記巻きチャンバに近接している片側端壁の中には第一スライド孔が設置され、前記第一スライド孔の中には第一スライドロッドがスライドできるように設置され、前記第一スライドロッドと前記第一スライド孔の端壁との間には第二復帰装置が弾性を持つように設置され、前記第一スライド孔の左側には第三スライドガイド溝が形成されており、前記第三スライドガイド溝の中には第四ラックがスライドできるように設置され、前記第四ラックの右側端壁の中には第二凹溝が形成されており、前記第三スライドガイド溝の右側端壁の中には前記第一スライド孔を貫通した第二スライド孔が設置され、前記第二スライド孔の中には第二スライドロッドがスライドできるように設置され、前記第二スライドロッドと前記第二スライド孔の右側端壁との間には第二ばねが弾性を持つように設置され、前記第二スライドロッドの中には楔形孔が設置され、前記第一ラックのうち前記巻きチャンバから離れている片側端壁の中には第四スライドガイド溝が形成されており、前記第四スライドガイド溝の中には第五ラックがスライドできるように設置され、前記第五ラックと前記第四スライドガイド溝の端壁との間には第三復帰装置が弾性を持つように設置され、前記第四スライドガイド溝と前記第三スライドガイド溝との間には空きチャンバが設置され、前記空きチャンバの中には前記第四ラック及び前記第五ラックと噛み合っている第三ギヤが回転できるように設置されている。
【００１４】
更に、前記第四ラックの頂部は切断カッターのヘッドであり、ケーブルを切断できる。
【発明の効果】
【００１５】
本発明の有益な効果は：本発明はセキュリティワイヤーケーブル用のシールド層の巻き設備を提供し、自動でケーブルにシールド層を巻くことを実現でき、またシールド層を巻く過程にケーブルの外側に接着剤を塗ってシールド層にしっかり巻き付かせ、同時に設備はシールドケーブルを自動で巻くことができ、自動化程度が高く、機能性が強く、安定性がよく、生産と普及と使用に便利を与える。
【図面の簡単な説明】
【００１６】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本発明のセキュリティワイヤーケーブル用のシールド層の巻き設備の全体構成概略図
【図２】図２は図１の中のＡ―Ａの構成概略図
【図３】図３は図１の中のＢの拡大構成概略図
【図４】図４は図２の中のＣ―Ｃの構成概略図
【図５】図５は図１の中のＤ―Ｄの構成概略図
【発明を実施するための形態】
【００１８】
付図１〜５に記載のシールド層の巻き設備は、ボディー１０及び前記ボディー１０の中に設置された操作チャンバ４４を含み、前記操作チャンバ４４の左側端壁の中には環状溝４２が形成されており、前記環状溝４２の中には外歯車７８が設置され、前記外歯車７８の回転はシールド層４３を回転連動させてケーブル１４の外表面に巻き付かせ、前記操作チャンバ４４の底壁の中には接着剤を付けることができるディスペンサ装置２００が設置され、前記ディスペンサ装置２００が接着剤を前記ケーブル１４の外表面に塗る。
【００１９】
前記ボディー１０の左側端壁の中には巻きチャンバ３２が設置され、前記巻きチャンバ３２の中には第一回転軸３３が回転できるように設置され、前記第一回転軸３３の外表面には取り外し可能な巻き筒３４が設置され、前記巻きチャンバ３２及び前記巻きチャンバ３２の端壁の中には巻き装置３００が設置され、前記巻き装置３００は前記巻きチャンバ３２の右側端壁の中に設置されたスライドチャンバ５４を含み、前記スライドチャンバ５４の中にはスライドブロック４６が前後方向にスライドできるように設置され、前記スライドブロック４６が前記巻き筒３４の回転と共に前後方向に移動し、それによってケーブル１４を前後方向に移動連動させ、シールド層に均等的に巻き付かせる。
【００２０】
前記巻きチャンバ３２の上下端壁の中にはケーブル１４をきつく挟む挟持機構４００が設置され、前記挟持機構４００は前記巻きチャンバ３２の上下端壁の中に対向に開口するように設置された第一スライドガイド溝２７を含み、前記第一スライドガイド溝２７の中には第一ラック２６がスライドできるように設置され、前記第一ラック２６が前記巻き筒３４の外表面に巻き付くケーブル１４が増えることに伴って対向に移動してケーブル１４を挟み、同時に前記挟持機構４００は前記第一ラック２６の中に設置されたケーブル１４を切断できる切断装置４００の動作を触発させ、それによって切断装置４００がケーブル１４を切断することを触発させる。
【００２１】
好ましくは、前記外歯車７８の中には抜き孔７９が設置され、前記抜き孔７９の頂壁の中には上下方向に貫通した貫通溝７６が形成されており、前記貫通溝７６の中にはシールド層４３を巻くことができる巻き軸７７が回転できるように設置され、前記環状溝４２の中には前記外歯車７８と噛み合っている第一ギヤ１７が回転できるように設置され、前記第一ギヤ１７が前記環状溝４２の左側端壁の中に回転できるように設置されたウォーム１８の末端に固定的に設置され、前記操作チャンバ４４と前記スライドチャンバ５４との間には回転チャンバ４０が設置され、前記回転チャンバ４０の底壁の中には前記環状溝４２の左側に位置しているウォームホイールチャンバ２１が設置され、前記ウォームホイールチャンバ２１と前記回転チャンバ４０との間には前後対称の第二回転軸１９が回転できるように設置され、前記ウォームホイールチャンバ２１の中の前記第二回転軸１９の末端には前記ウォーム１８と噛み合っているウォームホイール２０が固定的に設置され、前記回転チャンバ４０の中の前記第二回転軸１９の末端には刷毛が付く円盤４１が固定的に設置されている。
【００２２】
好ましくは、前記ディスペンサ装置２００は前記操作チャンバ４４の底壁に固定的に設置された液貯蔵桶４５を含み、前記操作チャンバ４４の前後端壁の間には前記液貯蔵桶４５の上方に位置している第一定滑車１５が左右対称的に回転できるように設置され、前記液貯蔵桶４５の内部の前後端壁の間には第二定滑車１６が回転できるように設置され、前記操作チャンバ４４の右側端壁の中には原料チャンバ１１が設置され、前記原料チャンバ１１の左側端壁の中には前記操作チャンバ４４に連通している連通孔１２が設置され、前記原料チャンバ１１の中には原料軸１３が回転できるように設置され、前記ケーブル１４が前記原料軸１３の外表面に巻き付くように設置され、また前記ケーブル１４が左側端壁の前記連通孔１２を貫通しており、且つ前記第一定滑車１５及び第二定滑車１６に巻き付いている。
【００２３】
好ましくは、前記巻き装置３００は前記スライドブロック４６の中に設置された左右方向に貫通したローラーチャンバ４７を含み、前記ローラーチャンバ４７の中には回転できるローラー４８が前後対称的に設置され、前記スライドチャンバ５４の底壁の中にはスライド移動溝４９が形成されており、前記スライド移動溝４９の中には前記スライドブロック４６と固定的に連結された移動ブロック５０がスライドできるように設置され、前記移動ブロック５０の中には左右方向に貫通した噛み合いチャンバ５１が設置され、前記噛み合いチャンバ５１の上下端壁の中には第二ラック５３が設置され、前記ウォーム１８の左側が前記噛み合いチャンバ５１を貫通しており、また前記ウォーム１８の左側末端が前記スライド移動溝４９の左側端壁の中に固定的に設置された駆動モーター２５と動力が伝達できるように連結され、前記噛み合いチャンバ５１の中の前記ウォーム１８の外表面には前記第二ラック５３と噛み合っている扇状ギヤ５２が固定的に設置されている。
【００２４】
好ましくは、前記スライド移動溝４９の右側端壁の中には伝動チャンバ２２が設置され、前記伝動チャンバ２２の中の前記ウォーム１８の外表面には第一ベベルギヤ２４が固定的に設置され、前記伝動チャンバ２２の後側端壁の中にはベルトチャンバ７３が設置され、前記ベルトチャンバ７３と前記伝動チャンバ２２との間には第三回転軸７５が回転できるように設置され、前記伝動チャンバ２２の中の前記第三回転軸７５の末端には前記第一ベベルギヤ２４と噛み合っている第二ベベルギヤ２３が固定的に設置され、前記ベルトチャンバ７３の中の前記第三回転軸７５の末端には第一プーリ７４が固定的に設置され、前記第一回転軸３３の後側末端が前記ベルトチャンバ７３の中に伸びており、また前記第一回転軸３３の後側末端には第二プーリ７１が固定的に設置され、前記第一プーリ７４と前記第二プーリ７１とがベルト７２によって伝動できるように連結されている。
【００２５】
好ましくは、前記挟持機構４００は前記巻きチャンバ３２の上下端壁の中に対称的に形成された第二スライドガイド溝３５を含み、前記第二スライドガイド溝３５の中には第三ラック３７がスライドできるように設置され、前記第一ラック２６と前記第一スライドガイド溝２７の端壁との間には第一復帰装置５９が弾性を持つように設置され、前記第三ラック３７の左側端壁の中には第一凹溝３６が形成されており、前記巻きチャンバ３２の端壁の中にはＣ型チャンバ２９が設置され、前記Ｃ型チャンバ２９の中にはＣ型ブロック３１がスライドできるように設置され、前記Ｃ型ブロック３１と前記Ｃ型チャンバ２９の左側端壁の間には第一ばね２８が弾性を持つように設置され、前記Ｃ型チャンバ２９の左側端壁の中には前記Ｃ型ブロック３１と協働された電磁石３０が設置され、前記第二スライドガイド溝３５と前記第一スライドガイド溝２７との間にはギヤチャンバ３９が設置され、前記ギヤチャンバ３９の中には前記第一ラック２６及び前記第三ラック３７と噛み合っている第二ギヤ３８が回転できるように設置されている。
【００２６】
好ましくは、前記第一ラック２６のうち前記巻きチャンバ３２に近接している片側端壁には第一スライド孔６８が設置され、前記第一スライド孔６８の中には第一スライドロッド７０がスライドできるように設置され、前記第一スライドロッド７０と前記第一スライド孔６８の端壁との間には第二復帰装置６９が弾性を持つように設置され、前記第一スライド孔６８の左側には第三スライドガイド溝５６が形成されており、前記第三スライドガイド溝５６の中には第四ラック５５がスライドできるように設置され、前記第四ラック５５の右側端壁の中には第二凹溝６３が形成されており、前記第三スライドガイド溝５６の右側端壁の中には前記第一スライド孔６８を貫通した第二スライド孔６４が設置され、前記第二スライド孔６４の中には第二スライドロッド６６がスライドできるように設置され、前記第二スライドロッド６６と前記第二スライド孔６４の右側端壁との間には第二ばね６７が弾性を持つように設置され、前記第二スライドロッド６６の中には楔形孔６５が設置され、前記第一ラック２６のうち前記巻きチャンバ３２から離れている片側端壁には第四スライドガイド溝６１が形成されており、前記第四スライドガイド溝６１の中には第五ラック６２がスライドできるように設置され、前記第五ラック６２と前記第四スライドガイド溝６１の端壁との間には第三復帰装置６０が弾性を持つように設置され、前記第四スライドガイド溝６１と前記第三スライドガイド溝５６との間には空きチャンバ５８が設置され、前記空きチャンバ５８の中には前記第四ラック５５及び前記第五ラック６２と噛み合っている第三ギヤ５７が回転できるように設置されている。
【００２７】
好ましくは、前記第四ラック５５の頂部は切断カッターのヘッドであり、ケーブル１４を切断できる。
【００２８】
本実施例に記載の固定的に連結する方法はボルトによる固定や溶接する方法などに限定されない。
【００２９】
装置全体の機械動作の順序は：
【００３０】
１、シールド層に巻き付くケーブルを前記原料軸１３の外表面に巻き、前記ケーブル１４の一端を前記回転チャンバ４０と前後二つの前記ローラー４８との間に通し、また前記ケーブル１４の一端の末端を前記巻き筒３４の外表面に固定し、同時に前記巻き軸７７の外表面に巻き付いているシールド層４３をケーブル１４に固定し、この時に前記駆動モーター２５を始動し、前記駆動モーター２５が回転して前記ウォーム１８を回転連動させ、それによって前記第一ギヤ１７を回転連動させ、それによって前記外歯車７８を回転連動させ、この時に前記シールド層４３が前記ケーブル１４の外表面に巻き付くように設置されている。
【００３１】
２、同時に前記駆動モーター２５が回転して前記第一ベベルギヤ２４を回転連動させ、それによって前記第二ベベルギヤ２３を回転連動させ、それによって前記第一プーリ７４と前記第二プーリ７１とを回転連動させ、前記第二プーリ７１が回転して前記巻き筒３４を連動させて前記ケーブル１４に巻き付かせ、この時に前記ケーブル１４が左方へ移動し、前記ケーブル１４が前記液貯蔵桶４５の接着剤の中に浸かり、前記ケーブル１４とシールド層４３とがしっかり接着し、それによってケーブル１４にシールド層４３を巻くことを実現する。
【００３２】
３、同時に前記ウォーム１８が回転して前記扇状ギヤ５２を回転連動させ、それによって上下二つの前記第二ラック５３と間欠的に噛み合わせ、それによって前記移動ブロック５０を前後方向に移動連動させ、同時に前記移動ブロック５０が前記スライドブロック４６を前後方向に移動連動させ、それによって前記ケーブル１４の左側を前後方向に移動連動させ、それによって前記ケーブル１４が前記巻き筒３４に均等的に巻き付くことを実現する。
【００３３】
４、前記巻き筒３４の外表面に巻き付いている１４が増えることに伴い、前記巻き筒３４の外部に巻き付き直径が大きくなり、それによって前記第三ラック３７を上下両側へ移動連動させ、それによって前記第一ラック２６を対向に移動連動させ、上下二つの前記第一スライドロッド７０が互いに当接した時に前記ケーブル１４をしっかり挟み、前記第一スライドロッド７０が前記第一スライド孔６８の中へ摺動し、前記第一スライドロッド７０と前記第二スライドロッド６６の中の楔形孔６５と当接した時、前記第二スライドロッド６６が前記第二凹溝６３を出、この時に前記第四ラック５５が前記第三復帰装置６０の作用の下で対向に移動して前記ケーブル１４を切断し、同時に前記Ｃ型ブロック３１の末端が前記第一凹溝３６が中に伸び、前記ケーブル１４が挟持状態を保持し、この時に前記駆動モーター２５を止め、前記巻き筒３４を取り出し、シールド層を巻くことを完成する。
【００３４】
５、この時に改めて新しい前記巻き筒３４を装着し、また前記ケーブル１４を前記巻き筒３４の外表面に固定し、前記電磁石３０が通電して前記Ｃ型ブロック３１を吸引して左方へ移動させ、それによって前記Ｃ型ブロック３１に前記第一凹溝３６を出させ、設備は初期状態に戻り、ステップ一と、ステップ二と、ステップ三と、ステップ四の順で繰り返してシールド層を巻く。
【００３５】
上記の実施例は本発明の技術的構想と特徴を説明するだけであり、その目的は当業者に本発明内容を了解させてさらに実施させるのであり、本発明の保護範囲を制限することはできない。本発明の精神の実質に基づいて行われたすべての等価的な変化又は修飾は、本発明の保護範囲の中に含むべきである。